(57)【要約】【課題】磁気検知センサの基板への接続作業が容易で、かつ、入球口への入球を狙う磁石ゴト（不正行為）を適確に防止することが可能なパチンコ遊技機の提供。【解決手段】パチンコ遊技機は、遊技盤１と、センター役物装置４０と、入賞口（始動入賞口５）と、遊技制御基板（主基板３０）とを備えて構成される。センター役物装置は、ステージ部４１と、ステージ部へ遊技球を入球させる入球口４２ａとを有する。入球口の近傍に、遊技球の不正誘導を検知する磁気検知センサ５６と、球検知センサ（ゲートスイッチ５１）とを備える。両センサは、リード線７０を介して遊技制御基板側に接続される。リード線は、一端が、磁気検知センサに接続される第１の端子部７１と球検知センサに接続される第２の端子部７２とを有する分岐端子部７３により構成され、かつ、他端が、遊技制御基板側に集合して接続される集合端子部（第３の端子部７４）により構成される。【選択図】図８
2010029391.tif 000002
【特許請求の範囲】
【請求項１】
前面側に遊技球が転動可能な遊技領域が形成される遊技盤と、該遊技盤の略中央に配設されるセンター役物装置と、該センター役物装置の下方に配設される入賞口とを備えるとともに、
前記遊技盤の裏面側に、遊技の基本動作を制御する遊技制御基板を備えて構成され、
前記センター役物装置は、遊技球を前記入賞口へ誘導可能なステージ部と、該ステージ部へ遊技球を入球させる入球口とを有するパチンコ遊技機において、
前記入球口の近傍に、磁気による遊技球の不正誘導を検知する磁気検知センサと、遊技球の通過を検知する球検知センサとを備え、
前記磁気検知センサ及び前記球検知センサは、リード線を介して前記遊技制御基板側に接続され、前記リード線は、一端が、前記磁気検知センサに接続される第１の端子部と前記球検知センサに接続される第２の端子部とを有した分岐端子部により構成され、かつ、他端が、前記遊技制御基板側に集合して接続される集合端子部により構成されていることを特徴とするパチンコ遊技機。
【請求項２】
前記磁気検知センサは、前記遊技盤の前面から前方へ突出して配設されている装飾部材により、正面からみて視認不能に、配設されていることを特徴とする請求項１に記載のパチンコ遊技機。
【請求項３】
前記装飾部材は、前記磁気検知センサと前記球検知センサとを相互に接触させた状態に保持して、前記遊技盤に配設されていることを特徴とする請求項２に記載のパチンコ遊技機。
【請求項４】
前記装飾部材は、前記センター役物装置における前記入球口の下側を装飾する飾り枠体部とされていることを特徴とする請求項２に記載のパチンコ遊技機。
【発明の詳細な説明】
【技術分野】
【０００１】
本発明は、パチンコ遊技機に関し、特に、センター役物装置のステージ部へ遊技球を入球させる入球口を有するパチンコ遊技機に関する。
【背景技術】
【０００２】
従来より、遊技領域の中央部にセンター役物装置を有するパチンコ遊技機として、センター役物装置にステージ部を備えるとともに、遊技盤面上を転動落下してゆく遊技球をステージ部に案内するワープ通路部をセンター役物の一部に設けたパチンコ遊技機が知られている（例えば、特許文献１参照）。
【０００３】
このようなパチンコ遊技機では、遊技盤面上を転動落下する遊技球が、ワープ通路部の入球口へ入球すると、ワープ通路部の排出口からステージ上へと排出され、ステージ上面の球誘導部に誘導されて、始動入賞口の上端付近に落下されるよう構成されていた。すなわち、入球口に入球してステージ上に排出された遊技球は、いわゆる大当たり抽選を行なう契機となる始動入賞口に入賞し易くなるように構成されていた。
【０００４】
なお、本願に先立ち、先行技術を調査したところ下記特許文献２を見出した。
【特許文献１】特開２００２−３４６０７５号公報
【特許文献２】特開２００７−２０９５９２号公報
【発明の開示】
【発明が解決しようとする課題】
【０００５】
しかし、このように入球口に入球した遊技球がステージ部へ案内されるパチンコ遊技機では、入球口へ入球した遊技球は始動入賞口へ入賞し易くなることから、いわゆる磁石ゴト（磁石を用いて遊技球を誘導する行為をいう）により、入球口へ遊技球を誘導して入球させる不正行為が発生するおそれがあった。特に、センター役物装置のステージ構造に特徴を有し、ステージ上を転動した遊技球が始動入賞口へ入賞する確率の高いパチンコ遊技機においては、ステージ部へ遊技球を入球させる入球口へ遊技球を誘導する不正行為がなされるおそれが強い。
【０００６】
そこで、本発明は、磁石ゴトにより遊技球を誘導して、入球口へ遊技球を入球させる不正行為を抑制可能なパチンコ遊技機を提供することを目的とする。
【課題を解決するための手段】
【０００７】
本発明に係るパチンコ遊技機は、前面側に遊技球が転動可能な遊技領域が形成される遊技盤と、該遊技盤の略中央に配設されるセンター役物装置と、該センター役物装置の下方に配設される入賞口とを備えるとともに、前記遊技盤の裏面側に、遊技の基本動作を制御する遊技制御基板を備えて構成され、前記センター役物装置は、遊技球を前記入賞口へ誘導可能なステージ部と、該ステージ部へ遊技球を入球させる入球口とを有するパチンコ遊技機において、前記入球口の近傍に、磁気による遊技球の不正誘導を検知する磁気検知センサと、遊技球の通過を検知する球検知センサとを備え、前記磁気検知センサ及び前記球検知センサは、リード線を介して前記遊技制御基板側に接続され、前記リード線は、一端が、前記磁気検知センサに接続される第１の端子部と前記球検知センサに接続される第２の端子部とを有した分岐端子部により構成され、かつ、他端が、前記遊技制御基板側に集合して接続される集合端子部により構成されていることを特徴とする。
【０００８】
本発明に係るパチンコ遊技機によれば、入球口の近傍に配設された磁気検知センサが、磁気検知可能な領域（以下「磁気検知領域」という）内に生じた磁気を検知する。そのため、パチンコ遊技機の前面のガラス越しに入球口付近に磁石を近づけ、この磁石の磁気によって、遊技領域に打ち込まれた遊技球を入球口へ誘導する不正行為が行なわれた場合、近づけた磁石による磁気が磁気検知センサの磁気検知領域と交鎖し、磁気検知センサが、磁石による不正行為が行なわれていることを検知することができる。
【０００９】
また、磁気検知センサ及び球検知センサを主基板に接続するリード線は、一端が分岐端子部により構成され、他端が集合端子部により構成されている。そのため、集合端子部を遊技制御基板側の端子部へ接続するだけで、球検知センサと磁気検知センサとを遊技制御基板側へ接続することができる。そのため、両センサの基板への接続作業を容易にすることができる。
【００１０】
さらに、磁気検知センサは、遊技制御基板に接続されている。そのため、遊技制御基板を、遊技店を集中管理するホール側のコンピュータに接続することにより、磁気検知センサからの信号に基づいて、不正行為が行われた旨をホール側のコンピュータに送信することが可能となり、磁石による不正行為が行われた場合に、ホール側が即座に認識することが可能となる。
【００１１】
したがって、本発明に係るパチンコ遊技機では、磁気検知センサの基板への接続作業を容易にし、かつ、入球口への入球を狙う磁石ゴト（不正行為）を適確に防止することが可能である。
【００１２】
また、本発明のパチンコ遊技機は、前記磁気検知センサが、前記遊技盤の前面から前方へ突出して配設されている装飾部材により、正面からみて視認不能に、配設されている構成とすることができる。
【００１３】
このような構成とすれば、磁気検知センサを遊技盤の前面側に配設しても、遊技者からは、装飾部材のみが視認されることとなるため、磁気検知センサが遊技者に対して露出してパチンコ遊技機の美観を損なうことを抑制できる。また、遊技盤の裏面側に磁気検知センサを配設した場合に比べて、磁気検知センサが前方側へ配設されるため、磁気検知領域を遊技盤の前方側へ大きく確保することができる。すなわち、磁気検知センサの磁気検知領域を、不正行為による磁気が発生する方向へ大きく確保できるため、磁気検知領域が小さな磁気検知センサであっても、不正行為による磁気を適確に検知することが可能となる。
【００１４】
さらに、本発明のパチンコ遊技機は、前記装飾部材が、前記磁気検知センサと前記球検知センサとを相互に接触させた状態に保持して、前記遊技盤に配設されている構成とすることができる。
【００１５】
このような構成とすれば、球検知センサと磁気検知センサとを遊技盤に対して組み付ける作業が、球検知センサと磁気検知センサとを保持した装飾部材を遊技盤に配設する一つの作業で済むため、球検知センサと磁気検知センサとを遊技盤へ容易に組み付けることが可能となる。
【００１６】
また、本発明のパチンコ遊技機は、前記装飾部材を、前記センター役物装置における前記入球口の下側を装飾する飾り枠体部とする構成とすることができる。
【００１７】
このような構成によれば、磁石ゴトにより狙われる入球口に最も近い位置に磁気検知センサを配設できるため、使用する磁気検知センサの磁気検知領域を極力小さくしても、入球口への遊技球の誘導を狙う不正行為を、確実に検知することが可能となる。
【発明を実施するための最良の形態】
【００１８】
以下、本発明の実施形態を図面に基づいて説明する。
【００１９】
図１は、本発明の第１実施形態に係るパチンコ遊技機の遊技盤の正面図、図２は、第１実施形態のゲートの構成を示す斜視図、図３は、図１のIII-III線矢視断面図であって磁気検知センサ及び球検知センサが装飾部材に保持されて遊技盤に配設されている状態を示す図、図４は、第１実施形態の遊技盤の背面図であってゲートの磁気検知センサ及び球検知センサにリード線が接続された状態を示す図、図５は、第１実施形態のパチンコ遊技機の電気系統のブロック図、図６は、第１実施形態の遊技盤の背面図であって各基板の配置状態を示す概念図、図７は、第１実施形態の遊技盤の背面図であって各センサ等の配置状態を示す概念図、図８は、磁気検知センサと球検知センサとがリード線により主基板に接続される状態を示す図、図９は、本発明の第２実施形態に係るパチンコ遊技機を示す図であって入球口近傍の斜視図、図１０は、図９のX-X断面図であって磁気検知センサを遊技盤へ配設した状態を示す図、図１１は、第２実施形態の遊技盤の背面図であって磁気検知センサ及びゲートの球検知センサにリード線が接続された状態を示す図、をそれぞれ示す。
【００２０】
図１に示すように、第１実施形態のパチンコ遊技機は遊技盤１を備え、遊技盤１には、遊技者のハンドル（図示せず）操作により発射された遊技球が転動しながら落下してゆく遊技領域２が、レール３で囲まれて形成されている。
【００２１】
遊技領域２の中央部には、表示画面４ａを備える画像表示装置４が配設され、この表示画面４ａを囲むように、後述するセンター役物装置４０が配設されている。画像表示装置４は、液晶表示器などで構成され、表示画面４ａに、公知のデモ表示、図柄変動表示、リーチ演出、大当たり演出などが行われる。
【００２２】
また、遊技領域２には、センター役物装置４０の下方に、大当たり抽選の契機となる２つの始動入賞口５、及び、開放時に始動入賞口５に遊技球を招き入れる電動チューリップ６が配設され、これらの下方に大入賞口７が配設されているほか、アウト口８、４つの普通入賞口９、後述するゲート５０などが配設されている。
【００２３】
その他、遊技盤１には、特別図柄保留ランプ１０、普通図柄保留ランプ１１、特別図柄表示器１２、及び、普通図柄表示器１３などが配設されている。
【００２４】
センター役物装置４０は、ステージ部４１と、ワープ通路部４２と、飾り枠体部４３とを備えて構成されている。センター役物装置４０は、正面から見て、図１に示すように、上方部４０ａ、下方部４０ｂ、左方部４０ｃ、右方部４０ｄとを有して、表示画面４ａを囲んでいる。
【００２５】
ステージ部４１は、センター役物装置４０の下方部４０ｂを構成するもので、表示画面４ａの下端付近に配置されている。ステージ部４１は、遊技球が転動可能な上面４１ａを有し、ステージ部４１を転動する遊技球が始動入賞口５へ高確率で入賞できるように、遊技球を始動入賞口５へ誘導可能な図示しない球誘導部を備えて、構成されている。
【００２６】
ワープ通路部４２は、遊技盤面上を転動落下していく遊技球をステージ部４１へ入球させるもので、上下方向に長い筒状とされて、センター役物装置４０の左方部４０ｃに配置されている。ワープ通路部４２は、センター役物装置４０の左側上方で開口して遊技球をワープ通路部４２へ入球させる入球口４２ａと、ワープ通路部４２を通過した遊技球をステージ部４１の左方側へ排出する排出口４２ｂとを備えている。
【００２７】
飾り枠体部４３は、センター役物装置４０においてステージ部４１及びワープ通路部４２を除いた部分を構成するもので、種々の飾り４３ａを有して遊技盤１を装飾している。なお、飾り４３ａは、主に、センター役物装置４０の上方部４０ａ、及び、右方部４０ｄ、を装飾している。
【００２８】
ワープ通路部４２の入球口４２ａの左側の近傍には、ゲート５０が配設されている。ゲート５０は、上方から下方へ通過する遊技球を検知するもので、電動チューリップ６の開放抽選の契機となるものである。ゲート５０は、図２に示すように、ゲートスイッチ（球検知センサ）５１と、磁気検知センサ５６と、装飾部材６２とを備えて構成されている。
【００２９】
ゲートスイッチ（球検知センサ）５１は、遊技球の通過を検知する球検知本体部５２と、球検知本体部５２が検知した信号を外部へ出力する２本のピン５３ａを有する端子部５３と、球検知本体部５２と端子部５３とを覆う樹脂製のケース部５４とを備えて構成され、長方形の平板形状とされている。
【００３０】
磁気検知センサ５６は、公知のリードスイッチを有して磁気を検知する磁気検知本体部５７と、磁気検知本体部５７が検知した信号を外部へ出力する２本のピン５８ａを有する端子部５８と、磁気検知本体部５７と端子部５８とを覆う樹脂製のケース部５９とを備えて構成されている。また、磁気検知センサ５６は、高さ寸法Ｌ１をゲートスイッチ５１の高さ寸法Ｌ２と略一致させた断面四角形の細長い棒形状とされ、端子部５８側の内側面５６ａにはＬ型状に屈曲形成された内側段部６０が設けられ、端子部５８側の外側面５６ｂには逆Ｌ型状に屈曲形成された外側段部６１が設けられている。内側段部６０は、ゲートスイッチ５１の角部５５に当接してゲートスイッチ５１の内側面５１ａと磁気検知センサ５６の内側面５６ａとを相互に接触させた状態に位置決めし、かつ、後述する装飾部材６２の収納部６３にゲートスイッチ５１及び磁気検知センサ５６（以下「両センサ」ともいう）を収納した際にゲートスイッチ５１を抜け止めするものである。外側段部６１は、後述する装飾部材６２の係止爪６４に係止され、装飾部材６２の収納部６３に両センサ５１，５６を収納した際に磁気検知センサ５６を抜け止めするものである。
【００３１】
装飾部材６２は、ゲートスイッチ５１及び磁気検知センサ５６を収納し保持して遊技盤１に固定されるもので、両センサ５１，５６を収納する収納部６３と、両センサ５１，５６を収納部６３に収納した状態に保持する係止爪６４と、遊技盤１にねじ固定するためのねじ孔６５ａを有したフランジ部６５と、遊技盤１に固定されたときに遊技者側に露出する装飾面６６とを備える。
【００３２】
そして、図２に矢印で示すように、磁気検知センサ５６の内側面５６ａと、ゲートスイッチ５１の内側面５１ａとを接触させ、内側段部６０により位置決めした状態で、両センサ５１，５６を、装飾部材６２の収納部６３に押し込むように挿入すれば、係止爪６４が外側段部６１に係合し、両センサ５１，５６は収納部６３に抜け止めされて保持され、ゲート５０が組み立てられることとなる。
【００３３】
ゲート５０は、図３に示すように、遊技盤１に穿設されたゲート取付孔６８に、遊技盤１の前面１ａ側から挿通されて、フランジ部６５のねじ孔６５ａを介してねじ６７固定されて遊技盤１へ取り付けられている。ゲート５０が遊技盤１に取り付けられた状態では、ゲートスイッチ５１の球検知本体部５２は、遊技盤１の前面１ａから前方に突出しており、遊技球が上方から下方へ通過可能とされている。また、ゲートスイッチ５１及び磁気検知センサ５６の各端子部５３，５８には、図４に示すように、遊技盤１の裏面１ｂ側から後述するリード線７０の端子部７１，７２が接続されることとなる。なお、ゲート５０が遊技盤１に取り付けられた状態では、図１に示すように、遊技者からは、装飾部材６２の装飾面６６が視認されることとなるため、装飾部材６２に覆われた両センサ５１，５６は遊技者に対して視認されない。
【００３４】
次に、パチンコ遊技機の電気系統を図５に基づいて説明する。
【００３５】
図５において、パチンコ遊技機の電気系統は、主基板（遊技制御基板）３０、払出制御基板３１、演出制御基板３２、画像制御基板３３、及び、ランプ制御基板３４を備え、払出制御基板３１及び演出制御基板３２は主基板３０に接続され、画像制御基板３３及びランプ制御基板３４は演出制御基板３２に接続されている。なお、本明細書では、演出制御基板３２、画像制御基板３３、及び、ランプ制御基板３４を、まとめて副基板３５というものとする。各基板は、図５図示のように、ＣＰＵ、ＲＯＭ、ＲＡＭ等を備え、さらに、演出制御基板３２は継続して日時を計測するＲＴＣ（リアルタイムクロック）を備えている。
【００３６】
なお、各基板は、遊技盤１の裏面１ｂ側に、図６に示すように配置されている。演出制御基板３２及び画像制御基板３３は、遊技盤１の中央部であって、画像表示装置４の背面側に配置され、その左側に、ランプ制御基板３４が配置される。主基板３０は、遊技盤１の下方であって、演出制御基板３２の下方に配置される。なお、各基板相互の接続は、各基板相互を直接接続してもよいし、図６に二点鎖線で示すような中継基板３６を介して接続してもよい。
【００３７】
主基板（遊技制御基板）３０は、大当たり抽選を行う抽選手段を有して、利益に関わる制御を行うものである。主基板３０には、始動入賞口５内に設けられて始動入賞口５に入賞した遊技球を検出する始動口ＳＷ（スイッチ）１５、電チューソレノイド１６、ゲート５０に設けられてゲート５０を通過した遊技球を検出するゲートスイッチ５１、磁気検知領域内に生じた磁気を検知する磁気検知センサ５６、大入賞口７内に設けられて大入賞口７に入賞した遊技球を検出する大入賞口ＳＷ１７、大入賞口ソレノイド１８、各普通入賞口９内にそれぞれ設けられてその普通入賞口９に入賞した遊技球を検出する普通入賞口ＳＷ１９、特別図柄保留ランプ１０、普通図柄保留ランプ１１、特別図柄表示器１２、及び、普通図柄表示器１３がそれぞれ接続され、図５の矢印で示すように、各スイッチからは主基板３０に信号が入力され、各ソレノイドやランプには主基板３０から信号が出力される。
【００３８】
なお、主基板３０に接続される各スイッチ等は、遊技盤１の裏面１ｂからみて、図７に示すように配置されている。すなわち、図１に示した遊技盤１の前面１ａ側からみた始動入賞口５及び電動チューリップ６、大入賞口７、普通入賞口９、ゲート５０の配設位置に対応する遊技盤１の裏面１ｂ側の位置に、始動口ＳＷ（スイッチ）１５及び電チューソレノイド１６、大入賞口ＳＷ１７及び大入賞口ソレノイド１８、普通入賞口ＳＷ１９、ゲートスイッチ５１及び磁気検知センサ５６が、それぞれ配置されている。そして、これらの各スイッチ等は、リード線を介して、直接に、又は、中継基板を介して、主基板３０に接続される。なお、遊技盤１の中央部には、画像制御基板３３に接続される画像表示装置４が配置されている。
【００３９】
ここで、図８に基づいて、ゲートスイッチ５１及び磁気検知センサ５６と、主基板３０との接続について説明する。ゲートスイッチ５１及び磁気検知センサ５６は、主基板３０に対して、リード線７０を介して接続されている。リード線７０は、一端が、磁気検知センサ５６に接続される第１の端子部７１とゲートスイッチ５１に接続される第２の端子部７２とを有する分岐端子部７３により構成され、かつ、他端が、主基板３０側に集合して接続される第３の端子部（集合端子部）７４により構成されている。また、主基板３０は、図８には図示しないＣＰＵ、ＲＯＭ、ＲＡＭ等を備えているほか、各基板又は各スイッチ等と接続される複数の端子部７７を備えている。なお、複数の端子部７７のうちの１つが、４本のピン７８ａを有する端子部７８とされ、リード線７０の第３の端子部７４に対応している。そして、このリード線７０の第１の端子部７１と磁気検知センサ５６の端子部５８とが接続され、第２の端子部７２とゲートスイッチ５１の端子部５３とが接続され、第３の端子部７４と主基板３０の端子部７８とが接続されて、両センサ５１，５６は主基板３０に対して接続されている。さらに、主基板３０は、図示しない端子基板を介して、図示しないホール側のコンピュータに対して送受信可能に接続されている。
【００４０】
また、主基板３０は、図５に示すように、払出制御基板３１に各種コマンドを送信するとともに、払出の監視のために払出制御基板３１から信号を受信する。払出制御基板３１には、図示しない払出装置を駆動する払出駆動モータ２０が接続され、払出制御基板３１は、主基板３０から受信したコマンドに従って払出駆動モータ２０を動作させ、賞球の払出を行わせる。
【００４１】
さらに、主基板３０は、図５に示すように、演出制御基板３２に対し各種コマンドを送信し、演出制御基板３２は、画像制御基板３３との間でコマンドや信号の送受信を行う。画像制御基板３３には画像表示装置４及びスピーカ２１が接続され、画像制御基板３３は演出制御基板３２から受信したコマンドに従って、画像表示装置４の表示画面４ａに画像を表示し、スピーカ２１から音声を出力する。
【００４２】
また、演出制御基板３２はランプ制御基板３４にコマンドを送信する。ランプ制御基板３４には枠ランプ２２、盤ランプ２３、可動役物２４が接続され、ランプ制御基板３４は、演出制御基板３２から受信したコマンドに従って、枠ランプ２２、盤ランプ２３を点灯・消灯し、可動役物２４を作動する。
【００４３】
次に、上記のように構成されたパチンコ遊技機に対する磁石ゴトについて説明する。
【００４４】
まず、遊技球の動きを説明すると、第１実施形態のパチンコ遊技機では、図１に矢印で示すように、遊技領域２内に遊技球が打ち込まれると、遊技領域２の左側を転動落下してゆく遊技球の一部が、遊技盤１に配設された図示しない釘に案内されて、センター役物装置４０の左側上方で開口している入球口４２ａに入球する。入球口４２ａに入球した遊技球は、ワープ通路部４２を通過して、排出口４２ｂからステージ部４１の左側に排出され、ステージ部４１の上面４１ａを転動する。そして、ステージ部４１を転動する遊技球のうち図示しない球誘導部にうまく案内された遊技球は、ステージ部４１の中央から始動入賞口５へ向けて落下して、始動入賞口５に入賞することとなる。
【００４５】
すなわち、第１実施形態のパチンコ遊技機では、ステージ部４１を転動する遊技球が始動入賞口５へ入賞し易く構成されている。そのため、磁気によって遊技球を引きつけて入球口４２ａへ誘導して入球させようと、図３に示すように、入球口４２ａ付近に、遊技盤１の前方のガラスＧ越しから磁石Ｍを近づける磁石ゴトが発生し得る。
【００４６】
ここで、第１実施形態のパチンコ遊技機においては、このときに生じる磁石Ｍによる磁気が、磁気検知センサ５６の磁気検知領域と交鎖するように、磁気検知センサ５６の磁気検知領域が設定されている。
【００４７】
以上説明したように、第１実施形態に係るパチンコ遊技機は、前面１ａ側に遊技球が転動可能な遊技領域２が形成される遊技盤１と、遊技盤１の略中央に配設されるセンター役物装置４０と、センター役物装置４０の下方に配設される入賞口（始動入賞口５）とを備えるとともに、遊技盤１の裏面１ｂ側に、遊技の基本動作を制御する遊技制御基板（主基板３０）を備えて構成され、センター役物装置４０は、遊技球を入賞口（始動入賞口５）へ誘導可能なステージ部４１と、ステージ部４１へ遊技球を入球させる入球口４２ａとを有するパチンコ遊技機において、入球口４２ａの近傍に、磁気による遊技球の不正誘導を検知する磁気検知センサ５６と、遊技球の通過を検知する球検知センサ（ゲートスイッチ５１）とを備え、磁気検知センサ５６及び球検知センサ（ゲートスイッチ５１）は、リード線７０を介して遊技制御基板（主基板３０）側に接続され、リード線７０は、一端が、磁気検知センサ５６に接続される第１の端子部７１と球検知センサ（ゲートスイッチ５１）に接続される第２の端子部７２とを有する分岐端子部７３により構成され、かつ、他端が、遊技制御基板（主基板３０）側に集合して接続される集合端子部（第３の端子部７４）により構成されている。
【００４８】
そのため、パチンコ遊技機の前面のガラスＧ越しに入球口４２ａ付近に磁石Ｍを近づけ、この磁石Ｍの磁気によって、遊技領域２に打ち込まれた遊技球を入球口４２ａへ誘導する不正行為が行なわれた場合、近づけた磁石Ｍによる磁気が、入球口４２ａの近傍に配設された磁気検知センサ５６の磁気検知領域と交鎖する。従って、磁気検知センサ５６が、近づけた磁石Ｍによる磁気を検知して、磁石Ｍによる不正行為が行なわれていることを検知することができる。
【００４９】
また、磁気検知センサ５６及び球検知センサ（ゲートスイッチ５１）を主基板に接続するリード線７０は、一端が分岐端子部７３により構成され、他端が集合端子部（第３の端子部７４）により構成されている。そのため、集合端子部（第３の端子部７４）を遊技制御基板（主基板３０）側の端子部７８へ接続するだけで、球検知センサ（ゲートスイッチ５１）と磁気検知センサ５６とを遊技制御基板（主基板３０）側へ接続することができる。そのため、両センサ５１，５６の基板への接続作業を容易にすることができる。
【００５０】
さらに、磁気検知センサ５６は、副基板３５でなく、遊技店を集中管理するホール側のコンピュータに接続された遊技制御基板（主基板３０）に、接続されている。そのため、磁気検知センサ５６からの信号に基づいて、不正行為が行われた旨をホール側のコンピュータに送信することができ、磁石による不正行為が行われた場合に、ホール側が即座に認識することができる。なお、通常、遊技者の利益に関わる賞球に関するスイッチ等は遊技制御基板（主基板３０）に接続され、遊技を演出する役物装置等に関するものは副基板３５に接続されるところ、第１実施形態では、副基板３５に接続されるのが通常とされるセンター役物装置４０の入賞口４２ａに関係している磁気検知センサ５６を、遊技制御基板（主基板３０）に接続して構成するものである。
【００５１】
また、第１実施形態に係るパチンコ遊技機は、磁気検知センサ５６が、ゲート５０の装飾部材６２により、正面からみて視認不能に、配設されている。
【００５２】
そのため、磁気検知センサ５６を遊技盤１の前面１ａ側に配設しても、遊技者からは、装飾部材６２のみが視認されることとなるため、磁気検知センサ５６が遊技者に対して露出してパチンコ遊技機の美観を損なうことを抑制できる。また、遊技盤１の裏面１ｂ側に磁気検知センサ５６を配設した場合に比べて、磁気検知センサ５６が前方側へ配設されるため、磁気検知領域を遊技盤１の前方側へ大きく確保することができる。すなわち、磁気検知センサ５６の磁気検知領域を、不正行為による磁気が発生する方向へ大きく確保できるため、磁気検知領域が小さな磁気検知センサ５６であっても、不正行為による磁気を適確に検知することが可能となる。
【００５３】
さらに、第１実施形態に係るパチンコ遊技機は、ゲート５０の装飾部材６２が、磁気検知センサ５６と球検知センサ（ゲートスイッチ５１）とを相互に接触させた状態に保持して、遊技盤１に配設されている。
【００５４】
そのため、球検知センサ（ゲートスイッチ５１）と磁気検知センサ５６とを遊技盤１に対して組み付ける作業が、球検知センサ（ゲートスイッチ５１）と磁気検知センサ５６とを保持した装飾部材６２を遊技盤１に配設する一つの作業で済むため、球検知センサ（ゲートスイッチ５１）と磁気検知センサ５６とを遊技盤１へ容易に組み付けることが可能となる。
【００５５】
以上説明したように、第１実施形態では、磁気検知センサ５６は、ゲート５０が備えるゲートスイッチ（球検知センサ）５１とともに、ゲート５０の装飾部材６２に収納保持されて、正面からみて視認不能に、配設される構成としたが、図９〜図１１に示す第２実施形態のように、磁気検知センサ５６は、センター役物装置４０における入球口４２ａの下側を装飾する飾り枠体部４３Ａにより、正面からみて視認不能に、配設される構成としてもよい。なお、第２実施形態では、ゲート５０は、磁気検知センサ５６を備えず、装飾部材６２がゲートスイッチ（球検知センサ）５１のみを収納保持して構成される。また、第１実施形態と同様の構成については、同一符号を用いて、その説明を省略するものとする。
【００５６】
図９に示すように、第２実施形態では、センター役物装置４０は、ワープ通路部４２の入球口４２ａの下側が、種々の飾り４３Ａａを有する飾り枠体部４３Ａで装飾された構成とされている。この飾り枠体部４３Ａは、図１０に示すように、入球口４２ａの下側の断面が略コ字とされており、前壁部４４と遊技盤１の前面１ａとの間には空間Ｓが形成されて、後述するように磁気検知センサ５６が遊技盤１から突設することを許容している。遊技盤１には、飾り枠体４３Ａの前壁部４４の後方であって入球口４２ａに近い位置に、磁気検知センサ５６が挿通される磁気検知センサ取付孔６９が穿設されている。
【００５７】
磁気検知センサ５６は、遊技盤１の裏面１ｂ側から、磁気検知センサ取付孔６９に挿通されて、先端５６ｃ側を遊技盤１の前面１ａから突出させて配設されている。磁気検知センサ５６の先端５６ｃは、飾り枠体部４３Ａの前壁部４４の裏面４４ａに設けられた囲い状の係止部４５に係止されている。また、磁気検知センサ５６は、端子部５８を遊技盤１の裏面１ｂ側に露出させ、この端子部５８には、図１１に示すように、遊技盤１の裏面１ｂ側からリード線７０の第１の端子部７１が接続されている。
【００５８】
すなわち、第２実施形態では、第１実施形態と同様のリード線７０が使用され、リード線７０の第１の端子部７１と磁気検知センサ５６の端子部５８とが接続され、第２の端子部７２とゲート５０のゲートスイッチ（球検知センサ）５１の端子部５３とが接続され、第３の端子部７４と主基板（遊技制御基板）３０の端子部７８とが接続されて、磁気検知センサ５６及びゲートスイッチ（球検知センサ）５１は主基板（遊技制御基板）３０に対して接続されている。そして、第１実施形態と同様に、主基板（遊技制御基板）３０は、図示しない端子基板を介して、図示しないホール側のコンピュータに対して送受信可能に接続されている。
【００５９】
以上説明したように、第２実施形態のパチンコ遊技機では、磁気検知センサ５６は、センター役物装置４０の入球口４２ａの下側に、飾り枠体部４３Ａの前壁部４４によって遊技者から視認不能とされて、配設されている。
【００６０】
そのため、磁石ゴトにより狙われる入球口４２ａに最も近い位置に磁気検知センサ５６を配設できるため、使用する磁気検知センサ５６の磁気検知領域を極力小さくしても、入球口４２ａへの遊技球の誘導を狙う不正行為を、確実に検知することが可能となる。
【００６１】
また、磁気検知センサ５６が配設される入球口４２ａの下側の飾り枠体部４３Ａは、ステージ部４１にも近いことから、磁気検知センサ５６の配設位置をステージ部４１寄りに調節することにより、ステージ部４１の周辺まで磁気検知センサ５６の磁気検知領域に入れることができる。そのため、ステージ部４１の近傍に対して外部から磁石が近づけられた場合でも磁気検知センサ５６が検知できるため、入球口４２ａへ遊技球を誘導する不正行為とステージ部４１を転動する遊技球を狙う不正行為との両方を検知することが可能となる。
【００６２】
また、第１実施形態と同様に、磁気検知センサ５６は、ゲート５０のゲートスイッチ（球検知センサ）５１とともに、ホール側のコンピュータに接続された主基板（遊技制御基板）３０に、接続されている。
【００６３】
そのため、両センサ５６，５１の基板への接続作業を容易にすることができ、また、磁石による不正行為が行われたことをホール側が即座に認識することが可能となる。
【００６４】
以上、本発明の実施形態について説明したが、本発明の実施にあたっては、上記実施形態に限定されるものではなく、特許請求の範囲を逸脱しない限りにおいて種々の構成を採り得る。
【００６５】
例えば、本実施形態に係るパチンコ遊技機では、センター役物装置４０がワープ通路部４２を備え、このワープ通路部４２の入球口４２ａを、遊技球をステージ部４１へ入球させる入球口４２ａとして構成したが、センター役物装置４０がワープ通路部４２を備えずとも、センター役物装置４０に、外部から内部へ遊技球を入球させる貫通孔を設けて、この貫通孔を入球口として、構成してもよい。
【００６６】
また、入球口４２ａは、センター役物装置４０の左側上方を開口させて設ける構成としたが、入球口４２ａの位置は、センター役物装置４０の左側上方でなくとも、例えば、センター役物装置４０の上側中央部など、いずれの位置に設けてもよい。この場合、磁気検知センサ５６は、入球口４２ａの位置に合わせて、入球口４２ａ近傍の飾り枠体部４３により遊技者から視認不能に配設する。
【００６７】
また、磁気検知センサ５６は、リードスイッチにより構成されたものを使用したが、リードスイッチによるものでなくとも、ホール素子により構成されたものなど他の磁気検知センサを使用してもよい。
【００６８】
また、磁気検知センサ５６は、細長い棒形状とされたものを使用したが、勿論、平板形状など他の形状のものを使用してもよい。例えば、平板形状で小型の磁気検知センサを使用して、この磁気検知センサの前面を、球検知センサ５４の端子部５３側となる背面の左側に接触させた状態とし、背面方向の長さ寸法が長い係止爪によって、保持されるよう構成してもよい。
【００６９】
また、リード線７０は、一端が、第１の端子部７１と第２の端子部７２とに分岐された分岐端子部７３により構成されているものを使用したが、少なくともこれら２つの端子部７１，７２を有していれば、一端が、これらの端子部７１，７２のほかに、さらに他の端子部を有して構成されているリード線を使用してもよい。
【００７０】
なお、明細書中、「遊技盤の前面から突出して配設されている装飾部材」には、ゲート５０の装飾部材６２、センター役物装置４０の飾り枠体部４３，４３Ａのほか、普通入賞口９なども含むものとする。
【図面の簡単な説明】
【００７１】
【図１】本発明の第１実施形態に係るパチンコ遊技機の遊技盤の正面図である。
【図２】第１実施形態のゲートの構成を示す斜視図である。
【図３】図１のIII-III線矢視断面図であって、磁気検知センサ及び球検知センサが装飾部材に保持されて遊技盤に配設されている状態を示す図である。
【図４】第１実施形態の遊技盤の背面図であって、ゲートの磁気検知センサ及び球検知センサにリード線が接続された状態を示す図である。
【図５】第１実施形態のパチンコ遊技機の電気系統のブロック図である。
【図６】第１実施形態の遊技盤の背面図であって、各基板の配置状態を示す概念図である。
【図７】第１実施形態の遊技盤の背面図であって、各センサ等の配置状態を示す概念図である。
【図８】磁気検知センサと球検知センサとがリード線により主基板に接続される状態を示す図である。
【図９】本発明の第２実施形態に係るパチンコ遊技機を示す図であって、入球口近傍の斜視図である。
【図１０】図９のX-X断面図であって、磁気検知センサを遊技盤へ配設した状態を示す図である。
【図１１】第２実施形態の遊技盤の背面図であって、磁気検知センサ及びゲートの球検知センサにリード線が接続された状態を示す図である。
【符号の説明】
【００７２】
１…遊技盤
１ａ…前面
１ｂ…裏面
２…遊技領域
５…始動入賞口（入賞口）
３０…主基板
４０…センター役物装置
４１…ステージ部
４２ａ…入球口
４３，４３Ａ…飾り枠体部
５１…ゲートスイッチ（球検知センサ）
５６…磁気検知センサ
６２…装飾部材
７０…リード線
７１…第１の端子部
７２…第２の端子部
７３…分岐端子部
７４…第３の端子部（集合端子部）
【図１】
2010029391.tif 000003
【図２】
2010029391.tif 000004
【図３】
2010029391.tif 000005
【図４】
2010029391.tif 000006
【図５】
2010029391.tif 000007
【図６】
2010029391.tif 000008
【図７】
2010029391.tif 000009
【図８】
2010029391.tif 000010
【図９】
2010029391.tif 000011
【図１０】
2010029391.tif 000012
【図１１】
2010029391.tif 000013